(57)【要約】  【課題】  脂肪族ポリアミド層と芳香族ポリアミド層の層間剥離がなく、酸素ガスバリア性、耐屈曲ピンホール性、透明性、耐熱性及び強靱性などの諸物性に優れたポリアミド系積層フィルムを提供する。  【解決手段】  （ａ）芳香族ポリアミド層、（ｂ）脂肪族ポリアミド層、及び（ｃ）芳香族ポリアミドと脂肪族ポリアミドとが重量比で５：９５〜２０：８０である混合層を含み、（ｃ）層が（ａ）層及び／又は（ｂ）層に隣接する５層以上の積層構造を有すると共に、温度２３℃、相対湿度５０％の条件下でのゲルボーフレックステスターによる３０００サイクル繰返し屈曲後のピンホール数が５個／４９７ｃｍ2以下であるポリアミド系積層フィルムとする。【選択図】      なし【特許請求の範囲】
【請求項１】
（ａ）芳香族ポリアミド層、（ｂ）脂肪族ポリアミド層、及び（ｃ）芳香族ポリアミドと脂肪族ポリアミドとが重量比で５：９５〜２０：８０である混合層を含み、（ｃ）層が（ａ）層及び／又は（ｂ）層に隣接する５層以上の積層構造を有すると共に、温度２３℃、相対湿度５０％の条件下でのゲルボーフレックステスターによる３０００サイクル繰返し屈曲後のピンホール数が５個／４９７ｃｍ2以下であることを特徴とするポリアミド系積層フィルム。
【請求項２】
（ｂ）層／（ｃ）層／（ａ）層の順に積層された層構造を含む請求項１に記載のポリアミド系積層フィルム。
【請求項３】
（ｂ）層／（ｃ）層／（ａ）層／（ｃ）層／（ｂ）層の順に積層された層を含む請求項２に記載のポリアミド系積層フィルム。
【請求項４】
組成の異なる２層以上の（ｃ）層を有する請求項１〜３のいずれかに記載のポリアミド系積層フィルム。
【請求項５】
前記（ａ）層が、耐屈曲ピンホール性改良材を０．１〜１０重量％含有する請求項１〜４のいずれかに記載のポリアミド系積層フィルム。
【請求項６】
更に（ｃ）層および／または（ｂ）層が、耐屈曲ピンホール性改良材を０．１〜１０重量％含有する請求項５に記載のポリアミド系積層フィルム。
【請求項７】
少なくとも一軸方向に２〜８倍の延伸倍率で延伸されたものである請求項１〜６のいずれかに記載のポリアミド系積層フィルム。
【請求項８】
縦横二軸方向に、それぞれ２．５〜５倍の延伸倍率で延伸されたものである請求項７に記載のポリアミド系積層フィルム。
【請求項９】
（ａ）層が、脂肪族ポリアミドを０〜５重量％含有する芳香族ポリアミド層である請求項１〜８のいずれかに記載のポリアミド系積層フィルム。
【請求項１０】
（ｂ）層が芳香族ポリアミドを０〜５重量％含有する脂肪族ポリアミド層である請求項１〜９のいずれかに記載のポリアミド系積層フィルム。
【発明の詳細な説明】
【技術分野】
【０００１】
本発明は、酸素ガスバリア性、耐屈曲性、透明性、耐熱性及び強靱性等に優れ、酸素による内容物の変質を嫌う食品、医療品、および薬品等の包装用に適するポリアミド系積層フィルムに関する。
【背景技術】
【０００２】
従来より、ポリアミド系樹脂からなるフィルムは、単独で、または、他のフィルムとの積層体として、種々の一般的な包装用途に使用されてきた。しかしながら、脂肪族ポリアミドよりなるフィルムは、引張り強度、耐屈曲ピンホール性等の機械的性質においては優れているが、酸素ガスバリア性においては充分なものとは云えない。そこで、この脂肪族ポリアミドフィルムの表面に塩化ビニリデン系重合体ラテックスをコートして、酸素ガスバリア性を付与した塩化ビニリデン系樹脂コートフィルムが提案され、実用化されている。ところが、上記の塩化ビニリデン系重合体樹脂コートフィルムは、熱水処理を受けると白濁してしまうため用途が極端に制限されるという欠点を有するうえ、さらに焼却処分時に、塩素を含んだ化合物が発生するため、環境汚染等の原因にもなっている。
【０００３】
他方、酸素ガスバリア性が良好なフィルムとして、キシリレンジアミンを構成単位とするものなどに代表される芳香族ポリアミドからなるフィルムが提案されている。このフィルムは、透明性、耐油性においては優れているが、耐屈曲性に劣っているために、その用途には制限がある。
【０００４】
そこで、上記の脂肪族ポリアミドフィルム、芳香族ポリアミドフィルム双方の利点、すなわち引張り強度、耐屈曲性及び酸素ガスバリア性に優れているという性質を併せ持つフィルムを得るために、この２種類のポリアミドを溶融共押出して、インフレーション法により積層フィルムを製造する方法（例えば特許文献１参照）や、脂肪族ポリアミドを主成分とする層の間に、芳香族ポリアミドを主成分とする層を配置する層構成の積層フィルム（例えば特許文献２参照）が提案されている。更には、耐屈曲性等を改良するために、ポリアミドエラストマー成分を添加するという方法が多数提案されている（例えば特許文献３、特許文献４、特許文献５参照）。
【０００５】
【特許文献１】特開昭５７−５１４２７号公報
【特許文献２】特開昭５６−１５５７６２号公報
【特許文献３】特開平６−２５５０５４号公報
【特許文献４】特開平８―２２４８４４号公報
【特許文献５】特開平１１−２５４６１５号公報
【発明の開示】
【発明が解決しようとする課題】
【０００６】
上記の積層フィルムは、脂肪族ポリアミドよりなる層の寄与により耐屈曲性や強靱性が向上し、また、芳香族ポリアミドよりなる層の寄与により酸素ガスバリア性が向上する傾向にはあるものの、耐屈曲性と酸素ガスバリア性、さらに使用中に層間剥離が発生しない充分な層間接着強度を同時に満足できるレベルを示すものではない。また、製造工程で発生するスクラップを再生使用する場合、脂肪族ポリアミドと芳香族ポリアミドが混合され、それぞれもとの原料の酸素バリア性、耐屈曲性等を損ない、本来の機能が発揮できない積層フィルムになることがある。
すなわち、酸素ガスバリア性と耐屈曲性、強靱性を両立するのであれば、両外層に脂肪族ポリアミドのみを配置し、中間層に芳香族ポリアミドを配することで目的は達成されるが、芳香族ポリアミド層と脂肪族ポリアミド層の境界で剥離し易く、袋として使用中に破袋し易いという欠点がある。そこで、脂肪族ポリアミドに芳香族ポリアミドあるいは、脂肪族ポリアミドと芳香族ポリアミドが混合されたスクラップを混合することで、層間接着強度は向上するが、一方で耐屈曲ピンホール性が大幅に低下してしまう。
本発明の目的は、上記従来技術の問題点を解決し、脂肪族ポリアミド層と芳香族ポリアミド層の層間剥離がなく、耐屈曲ピンホール性などの諸物性に優れたポリアミド系積層フィルムを提供することにある。
【課題を解決するための手段】
【０００７】
本発明者等は、上記目的を達成すべく鋭意検討を行った結果、脂肪族ポリアミドと芳香族ポリアミドとの特定組成の混合物からなる接着層を脂肪族ポリアミド層及び／又は芳香族ポリアミド層に隣接させた５層以上の積層構造とすることによりガスバリア性、耐屈曲性、及び積層フィルムの層間剥離強度がバランスし、優れた物性を有するポリアミド系積層フィルムが得られることを見出し、本発明に到達した。
即ち、本発明は以下のポリアミド系積層フィルムを提供するものである。
（１）、  （ａ）芳香族ポリアミド層、（ｂ）脂肪族ポリアミド層、及び（ｃ）芳香族ポリアミドと脂肪族ポリアミドとが重量比で５：９５〜２０：８０である混合層を含み、（ｃ）層が（ａ）層及び／又は（ｂ）層に隣接する５層以上の積層構造を有すると共に、温度２３℃、相対湿度５０％の条件下でのゲルボーフレックステスターによる３０００サイクル繰返し屈曲後のピンホール数が５個／４９７ｃｍ2以下であることを特徴とするポリアミド系積層フィルム。
（２）、  （ｂ）層／（ｃ）層／（ａ）層の順に積層された層構造を含む（１）のポリアミド系積層フィルム。
（３）、  （ｂ）層／（ｃ）層／（ａ）層／（ｃ）層／（ｂ）層の順に積層された層構造を含む（２）のポリアミド系積層フィルム。
（４）、  組成の異なる２層以上の（ｃ）層を有する（１）〜（３）のいずれかのポリアミド系積層フィルム。
（５）、  前記（ａ）層が、耐屈曲ピンホール性改良材を０．１〜１０重量％含有する（１）〜（４）のいずれかのポリアミド系積層フィルム。
（６）、  更に（ｃ）層および／または（ｂ）層が、耐屈曲ピンホール性改良材を０．１〜１０重量％含有する（５）のポリアミド系積層フィルム。
（７）、  少なくとも一軸方向に２〜８倍の延伸倍率で延伸されたものである（１）〜（６）のいずれかのポリアミド系積層フィルム。
（８）、  縦横二軸方向に、それぞれ２．５〜５倍の延伸倍率で延伸されたものである（７）のポリアミド系積層フィルム。
（９）、  （ａ）層が、脂肪族ポリアミドを０〜５重量％含有する芳香族ポリアミド層である（１）〜（８）のいずれかのポリアミド系積層フィルム。
（１０）、  （ｂ）層が芳香族ポリアミドを０〜５重量％含有する脂肪族ポリアミド層である（１）〜（９）のいずれかのポリアミド系積層フィルム。
【発明の効果】
【０００８】
本発明により、脂肪族ポリアミド層と芳香族ポリアミド層の層間剥離がなく、酸素ガスバリア性、耐屈曲ピンホール性、透明性、耐熱性及び強靱性などの諸物性に優れたポリアミド系積層フィルムが提供される。
【発明を実施するための最良の形態】
【０００９】
以下、本発明を詳しく説明する。
本発明のポリアミド系積層フィルムの主要な原料は、芳香族ポリアミド（Ａ）、脂肪族ポリアミド（Ｂ）であり、更に必要に応じて耐屈曲ピンホール性改良材（Ｃ）が用いられる。
本発明における芳香族ポリアミド（Ａ）は芳香族環を有するポリアミドであって、特に制限されないが、キシリレンジアミンと炭素数が６〜１２のα，ω脂肪族ジカルボン酸とからなるポリアミド構成単位を分子鎖中に７０モル％以上含有するものが好適に用いられる。芳香族ポリアミドに該ポリアミド構成単位を分子鎖中に７０モル％以上含有させることにより高いガスバリア性が得られる。
【００１０】
上記のキシリレンジアミンと炭素数が６〜１２のα，ω脂肪族ジカルボン酸とからなるポリアミド構成成分の具体例としては、ポリメタキシリレンアジパミド、ポリメタキシリレンピメラミド、ポリメタキシリレンアゼラミド、ポリパラキシリレンアゼラミド、ポリパラキシリレンデカナミドのような単独重合体、メタキシリレン／パラキシリレンアジパミド共重合体、メタキシリレン／パラキシリレンピメラミド共重合体、メタキシリレン／パラキシリレンアゼラミド共重合体およびメタキシリレン／パラキシリレンセバカミド共重合体のような共重合体が挙げられる。
【００１１】
上記以外のポリアミド構成成分としては、ジアミン類とジカルボン酸類とのナイロン塩およびε−カプロラクタムのようなラクタム類の開環重合物、ε−アミノカルボン酸のようなω−アミノカルボン酸類の自己重縮合物等が挙げられる。ナイロン塩の成分としてのジアミン類の具体例には、ヘキサメチレンジアミン、２，２，４−トリメチルヘキサメチレンジアミンのような脂肪族ジアミン、ピペラジンビスプロピルアミン、ネオペンチルグリコールビスプロピルアミンのような異節環または異原子含有ジアミン等があり、また、ジカルボン酸類の具体例には、アジピン酸、アゼライン酸、セバシン酸のような脂肪族ジカルボン酸、テレフタル酸、イソフタル酸のような芳香族ジカルボン酸、１，４−シクロヘキサンジガルボン酸のような環状脂肪族ジカルボン酸等が挙げられる。
【００１２】
本発明における脂肪族ポリアミド（Ｂ）は、環状ラクタムの開環重合物、アミノカルボン酸の自己重縮合物、ジカルボン酸とジアミンとの重縮合物などが挙げられる。具体的には、ナイロン−６と称されるε−カプロラクタムの単独重合体、あるいはナイロン−６６と称されるポリヘキサメチレンアジパミドが、安価に入手でき、かつ、延伸操作を円滑に遂行し得るので好ましい。
【００１３】
また、本発明では耐屈曲ピンホール性改良材（Ｃ）を添加することで、さらに耐屈曲ピンホール性を向上することができる。
耐屈曲ピンホール性改良材としては、ポリオレフィン類、ポリアミドエラストマー類、ポリエステルエラストマー類などが挙げられる。
上記のポリオレフィン類は、主鎖中にポリエチレン単位、ポリプロピレン単位を５０重量％以上含むものであり、無水マレイン酸等でグラフト変性していてもよい。ポリエチレン単位、ポリプロピレン単位以外の構成単位としては、酢酸ビニル、あるいはこの部分けん化物、アクリル酸、メタクリル酸、アクリル酸エステル類、メタクリル酸エステル類、あるいはこれらの部分金属中和物（アイオノマー類）、ブテン等の１−アルケン類、アルカジエン類、スチレンなどが挙げられる。これらの構成単位を複数含んでも構わない。
【００１４】
また、ポリアミドエラストマー類は、ポリエーテルアミド、ポリエーテルエステルアミド等のポリアミド系ブロック共重合体に属するものであり、アミド成分としてはナイロン−６、ナイロン−６６、ナイロン−１２等例示され、エーテル成分としては、ポリオキシテトラメチレングリコール、ポリオキシエチレングリコール、ポリオキシ−１，２−プロピレングリコール等が例示されるが、好ましくはポリテトラメチレングリコールとポリラウリルラクタム（ナイロン−１２）を主成分とする共重合体である。また、任意成分としてドデカンジカルボン酸、アジピン酸、テレフタル酸等のジカルボン酸を少量用いたものであってもよい。
ポリエステルエラストマー類としては、例えばポリブチレンテレフタレートとポリテトラメチレングリコールを組み合わせたポリエーテル・エステルエラストマーや、ポリブチレンテレフタレートとポリカプロラクトンを組み合わせたポリエステル・エステルエラストマーなどが挙げられる。
以上の耐屈曲ピンホール性改良材は単独でも２種類以上を混合して使用してもよい。
【００１５】
本発明のポリアミド積層フィルムの（ａ）層は、主に芳香族ポリアミド（Ａ）よりなる層であり、例えば製造工程で発生するスクラップなどを利用する場合に、脂肪族ポリアミドを０〜５重量％含まれていても良い。また（ａ）層には耐屈曲性を向上させるために、上記の耐屈曲ピンホール性改良材を０．１〜１０重量％、好ましくは１〜５重量％含有させることが望ましい。
また、ポリアミド積層フィルムの（ｂ）層は、主に脂肪族ポリアミドよりなるなる層であり、芳香族ポリアミドが０〜５重量％含まれていても良い。耐屈曲ピンホール性改良材は主に（ａ）層に用いられるが、更に耐屈曲性を向上させるために、（ｂ）層にも前記（ａ）層と同様に含有させても良い。
【００１６】
本発明のポリアミド積層フィルムは、更に芳香族ポリアミドと脂肪族ポリアミドの混合物よりなる（ｃ）層を含む積層構造を有するものである。
上記の混合物は、芳香族ポリアミドと脂肪族ポリアミドとの均質な混合組成物である。この混合組成物は、原料芳香族ポリアミドと原料脂肪族ポリアミドとを混合したものであってもよいし、また、本発明のポリアミド系積層フィルムを製造する際に規格外フィルムや切断端材（耳トリム）として発生する原料ポリアミド混合物、或いはこの発生する原料ポリアミド混合物に原料ポリアミドを加えて調製したものであってもよい。
（ｃ）層の組成（混合割合）は芳香族ポリアミドと脂肪族ポリアミドとが重量比で５：９５〜２０：８０、好ましくは１０:９０〜１５：８５の範囲になるように選ばれる。この（ｃ）層は上記の（ａ）層および／または（ｂ）層に隣接して積層され、このような組成比の混合層を設けることにより、（ａ）層や（ｂ）層との接着強度が改良され、耐屈曲性や強靭性などに優れた積層フィルムとなる。
なお、このポリアミド系積層フィルムでは、該（ｃ）層は芳香族ポリアミド（Ａ）と脂肪族ポリアミド（Ｂ）の組成が異なる２層以上から構成されるものであっても良い。（ｃ）層が組成の異なる２層以上から構成される場合、各（ｃ）層は隣接して設けてもよく、（ａ）層または（ｂ）層を介して設けてもよい。組成の異なる（ｃ）層を２層以上隣接して設ける場合、それらは一体的に一つの（ｃ）層とみなすことができる。
【００１７】
本発明のポリアミド系積層フィルムの製造に用いられる原料の芳香族ポリアミド（Ａ）、脂肪族ポリアミド（Ｂ）および（Ａ）と（Ｂ）の混合組成物は、いずれも吸湿性が大きく、吸湿したものを使用すると原料を熱溶融し押出す際に、水蒸気やオリゴマーが発生しフィルム化を阻害するので、事前に乾燥して水分含有率を０．１重量％以下とするのが好ましい。なお、これらの原料ポリアミド、ポリアミド混合組成物にはポリアミド系積層フィルムを製造する際に、滑剤、帯電防止剤、酸化防止剤、ブロッキング防止剤、安定剤、染料、顔料、無機質微粒子等の各種添加剤を、フィルムの性質に影響を与えない範囲で添加することができる。
【００１８】
以上のような層構成を有する本発明の積層フィルムは、芳香族ポリアミド（Ａ）を主とする（ａ）層、脂肪族ポリアミド（Ｂ）を主とする（ｂ）層、及び芳香族ポリアミド（Ａ）と脂肪族ポリアミド（Ｂ）の混合物よりなる（ｃ）層を含む少なくとも５層の積層構造を有する。
耐屈曲ピンホール性改良材（Ｃ）を、前記（ａ）層、或いは更に（ｂ）層および／または（ｃ）層に０．１〜１０重量％含有することで、さらに耐屈曲ピンホール性が向上する。各ポリアミド層に含まれる耐屈曲ピンホール性改良材の含有率が、１０重量％を超えると耐屈曲性の改良効果が飽和に近づくうえ、フィルムとした際の透明性が低下する傾向があるので好ましくない。
【００１９】
所定量の耐屈曲ピンホール性改良材（Ｃ）を含有する（ａ）層および（ｂ）層は、芳香族ポリアミド（Ａ）又は脂肪族ポリアミド（Ｂ）と耐屈曲ピンホール性改良材（Ｃ）とを所定の割合でドライブレンドしたもの、ドライブレンド物を押出機で溶融した後ペレット化したもののいずれであってもよい。また、（ｃ）層に用いられる耐屈曲ピンホール性改良材を含有する混合組成物も、同様にして調製することができる。
【００２０】
次に、本発明の積層フィルムの代表的な層構成を以下に例示する。但し本発明の積層フィルムは、これら例示されたものに限定されるものではない。
（１）、５層構成の例
（ｂ）／（ｃ）／（ａ）／（ｃ）／（ｂ）、  （ｂ）／（ｃ）／（ａ）／（ｃ）／（ａ）、
（ｃ）／（ｂ）／（ｃ）／（ａ）／（ｃ）、  （ｂ）／（ｃ）／（ａ）／（ｃ）／（ｃ）
（２）、６層構成の例
（ｂ）／（ｃ）／（ａ）／（ｃ）／（ｃ）／（ｂ）、
（ｂ）／（ｃ）／（ａ）／（ｃ）／（ｂ）／（ｂ）、
（３）、７層構成の例
（ｂ）／（ｃ）／（ｃ）／（ａ）／（ｃ）／（ｃ）／（ｂ）、
（ｂ）／（ｂ）／（ｃ）／（ａ）／（ｃ）／（ｂ）／（ｂ）、
（ｃ）／（ｂ）／（ｃ）／（ａ）／（ｃ）／（ｂ）／（ｃ）、
（ｂ）／（ｃ）／（ａ）／（ｃ）／（ａ）／（ｃ）／（ｂ）
ここで、各層の厚み比率は（ａ）層の合計を全体の８〜４０％、（ｂ）層の合計を全体の５〜７０％、（ｃ）層の合計を全体の３〜４０％とすることが望ましい。
【００２１】
本発明のポリアミド系積層フィルムは、従来公知の一般的な方法により製造することができる。まず、芳香族ポリアミド（Ａ）、脂肪族ポリアミド（Ｂ）等を原料として用いて、実質的に無定型で配向していない積層フィルム（以下「積層未延伸フィルム」という）を、通常、共押出法で製造するのがよい。この積層未延伸フィルムの製造は、例えば、上記原料を２〜５台の押出機により溶融し、フラットダイ、または環状ダイから押出した後、急冷することによりフラット状、または環状の積層未延伸フィルムとする共押出法を採用するのがよい。
【００２２】
次に、上記の積層未延伸フィルムを、フィルムの流れ方向（縦方向）、およびこれと直角な方向（横方向）で、少なくとも一方向に通常２〜８倍、好ましくは縦横二軸方向に各々２．５〜５倍の範囲で延伸する。  縦方向および横方向の二軸延伸方向の延伸倍率が、各々２．５倍より小さい時は、延伸の効果が少なく、フィルムの強度が劣り、また二軸延伸方向の延伸倍率が各々５倍より大きい時は、延伸時に積層フィルムが裂けたり破断したりしやすいので延伸倍率の上限は上記の範囲内とするのがよい。
【００２３】
二軸延伸の方法は、テンター式逐次二軸延伸、テンター式同時二軸延伸、チューブラー式同時二軸延伸等、本発明の趣旨を越えない限り従来公知の延伸方法が採用できる。例えば、テンター式逐次二軸延伸方法の場合には、積層未延伸フィルムを５０〜１１０℃の温度範囲に加熱し、ロール式縦延伸機によって縦方向に２．５〜５倍に延伸し、続いてテンター式横延伸機によって６０〜１４０℃の温度範囲内で横方向に２．５〜５倍に延伸することにより製造することができる。また、テンター式同時二軸延伸やチューブラー式同時二軸延伸方法の場合は、例えば、６０〜１３０℃の温度範囲において、縦横同時に各軸方向に２．５〜５倍に延伸することにより製造することができる。
【００２４】
上記方法により延伸された積層二軸延伸フィルムは、引き続き熱処理をする。熱処理をすることにより常温における寸法安定性を付与することができる。この場合の熱処理温度は、１１０℃を下限として各ポリアミドの融点より５℃低い温度を上限とする範囲を選択するのがよく、これにより常温寸法安定性のよい、任意の熱収縮率を持った延伸フィルムを得ることができる。熱処理操作により、充分に熱固定された積層二軸延伸フィルムは、常法により冷却し巻きとることができる。
【００２５】
本発明のポリアミド系積層フィルムは、上記方法によって製造することができるが、本発明の目的を考慮すると次のような物性、すなわち、温度２３℃、相対湿度５０％の条件下における酸素透過度が１５ｃｍ3／ｍ2・２４Ｈｒ・ａｔｍ以下であり、温度２３℃、相対湿度５０％の条件下でのゲルボーフレックステスターによる３０００サイクル繰返し屈曲後のピンホール数が５個／４９６ｃｍ2（＝７７ｉｎｃｈ2）以下で、かつヘイズが１０％以下、層間剥離強度が１５０ｇ／１５ｍｍ以上等のレベルである。
【００２６】
本発明のポリアミド系積層フィルムの全体の厚さは、通常１０〜４０μｍが好ましい。全体の厚さが、１０μｍ未満のものは、酸素ガスバリア性と耐屈曲ピンホール性のバランスに乏しく、耐摩耗性も不充分となり包装用途として満足なフィルムは得られ難い。また、４０μｍを越えるものは、フィルムが硬くなり、更に、シーラント層を張り合わせる場合には、フィルム全体が非常に厚くなり軟包装用途には適さなくなる。また、本発明のポリアミド系積層フィルムは、シーラント層を張り合わせ、さらなる加工に供することができる。このフィルムに、塩化ビニリデン系樹脂、ポリビニルアルコール系樹脂、エチレンー酢酸ビニル共重合体鹸化物系樹脂等のコーティング層を設けることにより、ガスバリア性を一層向上させた、耐屈曲ピンホール性の優れたフィルムが得られる。また、各種単層若しくは積層フィルムと、ドライラミネート法、ウェットラミネート法、押出しラミネート法等により積層することにより得られる積層体は耐屈曲ピンホール性の優れたものとなる。
【実施例】
【００２７】
以下、本発明の内容および効果を実施例により更に詳細に説明するが、本発明は、以下の例に限定されるものではない。
なお、以下の例において、得られたフィルムの評価は次の方法によって行った。
【００２８】
１） 酸素透過度（ｃｍ3／ｍ2・２４Ｈｒ・ａｔｍ）
モダンコントロール社製の「ＯＸＹ−ＴＲＡＮ１００型酸素透過度測定装置」を使用し、温度２３℃、相対湿度５０％の条件下で測定した。
【００２９】
２） 耐屈曲ピンホール性（ピンホール数／４９６ｃｍ2（＝７７ｉｎｃｈ2））
２０．３ｃｍ×２７．９ｃｍの大きさに切断したフィルムを、温度２３℃、相対湿度５０％の条件下に、２４時間以上放置してコンディショニングし、ゲルボーフレックステスター（理学工業社製、「No.９０１型」（ＭＩＬ−Ｂ−１３１Ｃの規格に準拠））を使用して、次のように屈曲テストを繰り返し、ピンホール数を計測した。
上記長方形テストフィルムを長さ２０．３ｃｍの円筒状にし、当該巻架した円筒状フィルムの一端を上記テスターの円盤状固定ヘッドの外周に、他端を上記テスター円盤状可動ヘッドの外周にそれぞれ固定し、上記可動ヘッドを上記固定ヘッドの方向に、平行に対向した両ヘッド（固定ヘッドと可動ヘッドとは１７．８ｃｍ隔てて対向している。）の軸に沿って８．９ｃｍ接近させる間に４４０゜回転させ、続いて回転させることなしに６．４ｃｍ直進させ、その後、これらの動作を逆に行わせ、上記可動ヘッドを最初の位置に戻すまでの行程を１サイクルとする屈曲テストを、１分あたり４０サイクルの速度で、連続して３０００サイクル行った後に、テストしたフィルムの固定ヘッド、可動ヘッドの外周に固定した部分を除いた１７．８ｃｍ×２７．９ｃｍ（７ｉｎｃｈ×１１ｉｎｃｈ＝７７ｉｎｃｈ2＝４９６ｃｍ2）内の部分に生じたピンホール数を、ピンホールテスター（サンコー電子研究所製、ＴＲＤ型）により１ＫＶの電圧を印加して、計測した。
【００３０】
３）層間剥離強度
引張試験機〔（株）島津製作所製、オートグラフＡＧ−５〕にて測定した。測定条件は、評価用サンプル１５ｍｍ幅のものを使用し、Ｔ型剥離、剥離速度２０ｍｍ／分で実施した。
【００３１】
実施例１
（ａ）層に相対粘度２．７のポリメタキシリレンアジパミド（芳香族ポリアミド（Ａ）：三菱瓦斯化学（株）製、「ＭＸ−ナイロン６００７」）とポリアミドエラストマー（耐屈曲ピンホール性改良材：アトフィナ社製「ＰＥＢＡＸ４０３３」）とを９５：５の割合（重量）で混合した樹脂組成物、（ｂ）層に相対粘度３．７のポリ−ε−カプロアミド（脂肪族ポリアミド（Ｂ）：三菱エンジニアリングプラスチックス（株）製、「ノバミッド１０２２」）、および（ｃ）層に芳香族ポリアミド（Ａ）と脂肪族ポリアミド（Ｂ）との割合（重量）が２０：８０で混合した樹脂組成物を、６５ｍｍφ押出機３台を使用して別々に溶融させ、さらに（ｂ）層の前記脂肪族ポリアミド（Ｂ）及び（ｃ）層の芳香族ポリアミド（Ａ）と脂肪族ポリアミド（Ｂ）の混合物についてはそれぞれ分配ブロックでほぼ半々に分割し、共押出Ｔダイ内で積層させて５層構造の積層フィルムとして押出し、３０℃のキャストロールに密着急冷し、外層が約３２μｍの脂肪族ポリアミド（Ｂ）、中間層が約２６μｍの芳香族ポリアミド（Ａ）と脂肪族ポリアミド（Ｂ）とポリアミドエラストマーとの混合組成物、そして内層が約４２μｍの芳香族ポリアミド（Ａ）の各々よりなる未延伸積層フィルムを得た。
【００３２】
得られた未延伸積層フィルムを６０℃の条件下でロール式延伸機にて縦方向に３倍延伸し、次いで、この縦延伸フィルムの端部をテンタークリップで保持し、テンターオーブン内で１３０℃の条件下で横方向に３．５倍に延伸した後、２０５℃で６秒間の熱処理を行った。熱処理を行った後のフィルムは、クリップの把持部に相当する両端部分はトリミングし、トリミング後の製品フィルム部分をロール状に巻き取り、外層の（ｂ）層が約３μｍ、中間層の（ｃ）層が約２．５μｍ、そして内層の（ａ）層が約４μｍである、（ｂ）／（ｃ）／（ａ）／（ｃ）／（ｂ）なる５層構成で、全体の厚さが約１５μｍの二軸延伸積層フィルムを得た。該フィルムの評価結果を表１に示す。
【００３３】
実施例２〜８、比較例１〜３
実施例１において、層構成、各層の樹脂組成をそれぞれ後記の表１に記載したように変更した以外は、同例に記載したと同様の方法で積層二軸延伸フィルムを得た。これらフィルムについての評価結果を表１に示す。
【００３４】
比較例４
市販の厚さ１５μｍの二軸延伸ナイロンフィルム（三菱樹脂（株）製、「サントニール」）を用い、酸素透過度を測定し、耐屈曲ピンホール性および透明度を評価した。その結果を表１に示す。
【００３５】
【表１】
2005212389.tif 000002
【００３６】
【表２】
2005212389.tif 000003
【００３７】
なお、表１において用いた記号は以下の通りである。
ＭＸ−ＮＹ：芳香族ポリアミド：ポリメタキシリレンアジパミド
（三菱瓦斯化学（株）製、「ＭＸ−ナイロン６００７」）
ＮＹ６：脂肪族ポリアミド：ポリ−ε−カプロアミド
（三菱エンジニアリングプラスチックス（株）製、「ノバミッド１０２２」）
ＰＡＥ：耐屈曲ピンホール性改良材：ポリアミドエラストマー
（アトフィナ社製、「ＰＥＢＡＸ４０３３ＳＡ０１」）
アイオノマー：耐屈曲ピンホール性改良材
（三井・デュポン  ポリケミカル（株）製、「ハイミランＨ１６５２」）
ＥＶＡ：耐屈曲ピンホール性改良材
（日本ポリエチレン（株）製、「ノバテックＥＶＡ  ＬＶ３５０」）
【産業上の利用可能性】
【００３８】
本発明によるポリアミド系積層フィルムは、優れた酸素ガスバリア性に加え、優れた耐屈曲性、透明性、耐熱性及び強靱性等を兼ね備えているので、酸素ガスによる内容物の変質を嫌う食品、医薬品、および化学薬品等の包装資材として好適に用いることができる。